(57)【要約】  本明細書で説明する様々な態様は、ワイヤレス通信における送信電力を制御することに関する。ユーザ機器(UE)において、しきい値信頼度に関連付けられた接続を介して基地局との通信が構成されると決定され得る。この決定に少なくとも部分的に基づいて、構成された送信電力は、接続を介した送信試行のための調整された送信電力に調整され得る。次いで、データは、調整された送信電力で送信され得る。
2019533378.tif 000002
【特許請求の範囲】
【請求項１】
ワイヤレス通信における送信電力を制御するための方法であって、
ユーザ機器(UE)において、しきい値信頼度に関連付けられた接続を介して基地局との通信が構成されると決定するステップと、
構成された送信電力を、前記接続を介した送信試行のための調整された送信電力に調整するステップであって、前記構成された送信電力を調整するステップが、前記接続が前記しきい値信頼度に関連付けられるとの決定に少なくとも部分的に基づく、ステップと、
前記調整された送信電力でデータを送信するステップと
を備える方法。
【請求項２】
前記構成された送信電力が、前記送信試行のための送信試行インデックスに少なくとも部分的に基づく送信電力調整値によって調整される、請求項1に記載の方法。
【請求項３】
前記送信試行インデックスが、送信されるべき前記データについての前記基地局によって指定された新規データインジケータ(NDI)に対応する、請求項2に記載の方法。
【請求項４】
前記送信電力調整値を含む複数の送信電力調整値を、送信電力制御(TPC)コマンドのための可能な値にマッピングするステップと、
前記基地局から前記TPCコマンドを受信するステップであって、前記構成された送信電力が、前記TPCコマンドにおいて示された値に前記マッピングに基づいてマッピングする前記送信電力調整値によって調整される、ステップと
をさらに備える、請求項3に記載の方法。
【請求項５】
前記TPCコマンドが、複数のUEのためのグループTPCコマンドであり、前記送信試行インデックスを前記データの新規の送信を示す前記NDIとして決定するステップをさらに備える、請求項4に記載の方法。
【請求項６】
複数のキャリアのための複数のTPCコマンドを受信するステップと、
前記複数のキャリアのうちの1つに関連する1次セルの前記TPCコマンドを選択するステップと
をさらに備える、請求項4に記載の方法。
【請求項７】
前記データがチャネル状態情報(CSI)制御データであるとの決定に基づいて、前記送信試行インデックスを前記データの新規の送信を示す前記NDIとして決定するステップをさらに備える、請求項3に記載の方法。
【請求項８】
前記構成された送信電力が、前記送信試行に対応するデータを送信するためのパケットデッドラインに少なくとも部分的に基づく送信電力調整値によって調整される、請求項1に記載の方法。
【請求項９】
前記構成された送信電力が、前記基地局に送信するためのデータを記憶する送信バッファの待ち行列長さに少なくとも部分的に基づく送信電力調整値によって調整される、請求項1に記載の方法。
【請求項１０】
前記構成された送信電力が、前記データの期限切れの前に前記UEのために利用可能な送信試行の残りの数に少なくとも部分的に基づく送信電力調整値によって調整される、請求項1に記載の方法。
【請求項１１】
前記構成された送信電力を調整するための構成を前記基地局から受信するステップであって、前記構成された送信電力を調整することが、前記構成に少なくとも部分的に基づく、ステップをさらに備える、請求項1に記載の方法。
【請求項１２】
前記構成が、前記データの1つまたは複数の送信試行のための固定または可変の送信電力調整値によって、前記構成された送信電力を調整することを示す、請求項11に記載の方法。
【請求項１３】
前記構成が、前記送信試行の送信試行インデックス、残りの送信試行の数、パケットデッドラインまでの残りの時間、または送信バッファの待ち行列長さのうちの少なくとも1つに基づく固定または可変の送信電力調整値によって、前記構成された送信電力を調整することを示す、請求項12に記載の方法。
【請求項１４】
前記構成が、前記構成された送信電力を再送信試行のための最大送信電力に増加することを示す、請求項12に記載の方法。
【請求項１５】
前記データを送信するためのデッドラインに関連する1つまたは複数のパラメータを決定するステップをさらに備え、前記構成された送信電力を調整するステップが、前記1つまたは複数のパラメータに少なくとも部分的に基づく、請求項1に記載の方法。
【請求項１６】
前記構成された送信電力を調整するステップが、前記送信試行が前記データのための再送信試行に対応するとの決定に少なくとも部分的に基づく、請求項1に記載の方法。
【請求項１７】
ワイヤレス通信のための装置であって、
1つまたは複数のアンテナを介して1つまたは複数のワイヤレス信号を通信するためのトランシーバと、
命令を記憶するように構成されたメモリと、
前記トランシーバおよび前記メモリと通信可能に結合された1つまたは複数のプロセッサとを備え、前記1つまたは複数のプロセッサが、
しきい値信頼度に関連付けられた接続を介して基地局との通信が構成されると決定することと、
構成された送信電力を、前記接続を介した送信試行のための調整された送信電力に調整することであって、前記構成された送信電力を調整することが、前記接続が前記しきい値信頼度に関連付けられるとの決定に少なくとも部分的に基づく、調整することと、
前記調整された送信電力でデータを送信することと
を行うように構成される、装置。
【請求項１８】
前記1つまたは複数のプロセッサが、前記送信試行のための送信試行インデックスに少なくとも部分的に基づく送信電力調整値によって、前記構成された送信電力を調整するように構成される、請求項17に記載の装置。
【請求項１９】
前記送信試行インデックスが、送信されるべき前記データについての前記基地局によって指定された新規データインジケータ(NDI)に対応する、請求項18に記載の装置。
【請求項２０】
前記1つまたは複数のプロセッサが、
前記送信電力調整値を含む複数の送信電力調整値を、送信電力制御(TPC)コマンドのための可能な値にマッピングすることと、
前記基地局から前記TPCコマンドを受信することであって、前記1つまたは複数のプロセッサが、前記TPCコマンドにおいて示された値に前記マッピングに基づいてマッピングする前記送信電力調整値によって、前記構成された送信電力を調整するように構成される、受信することと
を行うようにさらに構成される、請求項19に記載の装置。
【請求項２１】
前記TPCコマンドが、複数のUEのためのグループTPCコマンドであり、前記1つまたは複数のプロセッサが、前記送信試行インデックスを前記データの新規の送信を示す前記NDIとして決定するようにさらに構成される、請求項20に記載の装置。
【請求項２２】
前記1つまたは複数のプロセッサが、
複数のキャリアのための複数のTPCコマンドを受信し、
前記複数のキャリアのうちの1つに関連する1次セルの前記TPCコマンドを選択する
ようにさらに構成される、請求項20に記載の装置。
【請求項２３】
前記1つまたは複数のプロセッサが、前記データがチャネル状態情報(CSI)制御データであるとの決定に基づいて、前記送信試行インデックスを前記データの新規の送信を示す前記NDIとして決定するようにさらに構成される、請求項19に記載の装置。
【請求項２４】
前記1つまたは複数のプロセッサが、前記送信試行に対応するデータを送信するためのパケットデッドラインに少なくとも部分的に基づく送信電力調整値によって、前記構成された送信電力を調整するように構成される、請求項17に記載の装置。
【請求項２５】
前記1つまたは複数のプロセッサが、前記基地局に送信するためのデータを記憶する送信バッファの待ち行列長さに少なくとも部分的に基づく送信電力調整値によって、前記構成された送信電力を調整するように構成される、請求項17に記載の装置。
【請求項２６】
前記1つまたは複数のプロセッサが、前記データの期限切れの前に前記UEのために利用可能な送信試行の残りの数に少なくとも部分的に基づく送信電力調整値によって、前記構成された送信電力を調整するように構成される、請求項17に記載の装置。
【請求項２７】
ワイヤレス通信のための装置であって、
ユーザ機器(UE)において、しきい値信頼度に関連付けられた接続を介して基地局との通信が構成されると決定するための手段と、
構成された送信電力を、前記接続を介した送信試行のための調整された送信電力に調整するための手段であって、前記構成された送信電力を調整することが、前記接続が前記しきい値信頼度に関連付けられるとの決定に少なくとも部分的に基づく、手段と、
前記調整された送信電力でデータを送信するための手段と
を備える装置。
【請求項２８】
前記調整するための手段が、前記送信試行のための送信試行インデックスに少なくとも部分的に基づく送信電力調整値によって、前記構成された送信電力を調整する、請求項27に記載の装置。
【請求項２９】
ワイヤレス通信のための1つまたは複数のプロセッサによって実行可能なコードを備えるコンピュータ可読記憶媒体であって、前記コードが、
ユーザ機器(UE)において、しきい値信頼度に関連付けられた接続を介して基地局との通信が構成されると決定するためのコードと、
構成された送信電力を、前記接続を介した送信試行のための調整された送信電力に調整するためのコードであって、前記構成された送信電力を調整することが、前記接続が前記しきい値信頼度に関連付けられるとの決定に少なくとも部分的に基づく、コードと、
前記調整された送信電力でデータを送信するためのコードと
を備える、コンピュータ可読記憶媒体。
【請求項３０】
前記調整するためのコードが、前記送信試行のための送信試行インデックスに少なくとも部分的に基づく送信電力調整値によって、前記構成された送信電力を調整する、請求項29に記載のコンピュータ可読記憶媒体。
【発明の詳細な説明】
【技術分野】
【０００１】
関連出願の相互参照
本特許出願は、本出願の譲受人に譲渡され、すべての目的のために参照により本明細書に明確に組み込まれる、2017年7月14日に出願された「TECHNIQUES FOR ADJUSTING TRANSMIT POWER IN WIRELESS COMMUNICATIONS」と題する米国非仮出願第15/650,622号、および2016年11月4日に出願された「TECHNIQUES FOR ADJUSTING TRANSMIT POWER IN WIRELESS COMMUNICATIONS」と題する仮出願第62/417,502号、および2017年2月8日に出願された「TECHNIQUES FOR ADJUSTING TRANSMIT POWER IN WIRELESS COMMUNICATIONS」と題する仮出願第62/456,560号の優先権を主張する。
【０００２】
本明細書で説明するのは、一般に、通信システムに関する態様であり、より詳細には、ワイヤレス通信における送信電力を調整することに関する態様である。
【背景技術】
【０００３】
ワイヤレス通信システムは、テレフォニー、ビデオ、データ、メッセージング、およびブロードキャストなどの様々な電気通信サービスを提供するために広く展開されている。典型的なワイヤレス通信システムは、利用可能なシステムリソース(たとえば、帯域幅、送信電力)を共有することによって複数のユーザとの通信をサポートすることが可能な多元接続技術を用いることができる。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
これらの多元接続技術は、異なるワイヤレスデバイスが地方自治体、国家、地域、さらには地球規模で通信することを可能にする共通プロトコルを提供するために、様々な電気通信規格において採用されている。たとえば、(5Gニューラジオ(5G NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンドと、レイテンシおよび信頼性についてのいくつかの仕様を有する超高信頼低レイテンシ通信(URLLC:ultra-reliable-low latency communications)と、非常に多数の被接続デバイスおよび比較的少量の遅延に影響されない情報の送信を可能にすることができるマッシブマシンタイプ通信とを含むことができる。しかしながら、モバイルブロードバンドアクセスに対する需要が増加し続けるにつれて、5G通信技術以降におけるさらなる改善が望まれ得る。好ましくは、これらの改善は、他の多元接続技術、およびこれらの技術を用いる電気通信規格に適用可能であるべきである。
【０００５】
LTEを採用するワイヤレス通信システムでは、ノードによって受信されなかったデータが、そのデータが受信される尤度を改善しようとして何度も再送信されることを可能にするために、ハイブリッド自動再送/要求(HARQ)などの再送信方式を使用することによって、より高い信頼性が実現され得る。加えて、レガシーLTEでは、特定の発展型ノードB(eNB、eNodeB、基地局など)によってサービスされる複数のUEは、約1ミリ秒サブフレーム程度の送信時間間隔(TTI)を使用して1つまたは複数のチャネルを介してeNodeBと通信するためのリソースでスケジュールされ得る。UE能力および帯域幅に対する需要が増加するにつれて、通信の信頼性のレベルを維持するかまたは高める一方で、通信におけるより低いレイテンシが望まれ得る。
【発明の概要】
【課題を解決するための手段】
【０００６】
以下では、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後に提示されるより詳細な説明の導入として、1つまたは複数の態様のいくつかの概念を簡略化された形で提示することである。
【０００７】
一例によれば、ワイヤレス通信における送信電力を制御するための方法が提供される。方法は、ユーザ機器(UE)において、しきい値信頼度に関連付けられた接続を介して基地局との通信が構成されると決定するステップと、構成された送信電力を、接続を介した送信試行のための調整された送信電力に調整するステップとを含む。構成された送信電力を調整するステップは、接続がしきい値信頼度に関連付けられるとの決定に少なくとも部分的に基づく。方法はまた、調整された送信電力でデータを送信するステップを含む。
【０００８】
別の例では、ワイヤレス通信における送信電力を制御するための方法が提供される。方法は、基地局において、しきい値信頼度に関連付けられると決定された接続を介したデータの送信のための送信電力を調整するための構成を生成するステップを含む。方法はまた、構成をUEに送信するステップと、UEから、構成に少なくとも部分的に基づいて、調整された送信電力で1つまたは複数の送信を受信するステップとを含む。
【０００９】
別の例では、ワイヤレス通信のための装置が提供される。装置は、1つまたは複数のアンテナを介して1つまたは複数のワイヤレス信号を通信するためのトランシーバと、命令を記憶するように構成されたメモリと、トランシーバおよびメモリと通信可能に結合された1つまたは複数のプロセッサとを含む。1つまたは複数のプロセッサは、しきい値信頼度に関連付けられた接続を介して基地局との通信が構成されると決定することと、構成された送信電力を、接続を介した送信試行のための調整された送信電力に調整することであって、構成された送信電力を調整することが、接続がしきい値信頼度に関連付けられるとの決定に少なくとも部分的に基づく、調整することと、調整された送信電力でデータを送信することとを行うように構成される。
【００１０】
別の例では、ワイヤレス通信のための装置が提供される。装置は、ユーザ機器(UE)において、しきい値信頼度に関連付けられた接続を介して基地局との通信が構成されると決定するための手段と、構成された送信電力を、接続を介した送信試行のための調整された送信電力に調整するための手段であって、構成された送信電力を調整することが、接続がしきい値信頼度に関連付けられるとの決定に少なくとも部分的に基づく、手段と、調整された送信電力でデータを送信するための手段とを含む。
【００１１】
また別の例では、ワイヤレス通信のための1つまたは複数のプロセッサによって実行可能なコードを含むコンピュータ可読媒体が提供される。コードは、ユーザ機器(UE)において、しきい値信頼度に関連付けられた接続を介して基地局との通信が構成されると決定するためのコードと、構成された送信電力を、接続を介した送信試行のための調整された送信電力に調整するためのコードであって、構成された送信電力を調整することが、接続がしきい値信頼度に関連付けられるとの決定に少なくとも部分的に基づく、コードと、調整された送信電力でデータを送信するためのコードとを含む。
【００１２】
上記の目的および関係する目的を達成するために、1つまたは複数の態様は、以下で十分に説明し、特に特許請求の範囲で指摘する特徴を備える。以下の説明および添付の図面は、1つまたは複数の態様のいくつかの例示的な特徴を詳細に記載している。しかしながら、これらの特徴は、様々な態様の原理が用いられ得る様々な方法のほんのいくつかを示すものであり、この説明は、すべてのそのような態様およびそれらの均等物を含むものとする。
【００１３】
本明細書で説明する態様のより完全な理解を容易にするために、ここで、同様の要素が同様の数字を用いて参照される添付の図面について言及する。これらの図面は、本開示を限定するものと解釈されるべきではなく、例示的なものにすぎないものとする。
【図面の簡単な説明】
【００１４】
【図１】本明細書で説明する態様による電気通信システムの一例を概念的に示すブロック図である。
【図２】アクセスネットワークの一例を示す図である。
【図３】アクセスネットワークにおける発展型ノードBおよびユーザ機器の一例を示す図である。
【図４】超低レイテンシ(ULL)帯域幅割振りのためのタイムラインの例を示す図である。
【図５】本明細書で説明する態様による、送信電力を調整するためのシステムの一例を示す図である。
【図６】本明細書で説明する態様による、送信電力を調整するための方法の一例のフローチャートである。
【図７】本明細書で説明する態様による、送信電力を調整するための構成を提供するための方法の一例のフローチャートである。
【発明を実施するための形態】
【００１５】
添付の図面に関して以下に記載する詳細な説明は、様々な構成について説明するものであり、本明細書で説明する概念が実践され得る唯一の構成を表すものではない。詳細な説明は、様々な概念の完全な理解を与える目的で、具体的な詳細を含む。しかしながら、これらの概念がこれらの具体的な詳細なしに実践され得ることは当業者に明らかであろう。いくつかの事例では、そのような概念を不明瞭にすることを避けるために、よく知られている構造および構成要素は、ブロック図の形態で示される。
【００１６】
次に、様々な装置および方法を参照しながら、電気通信システムのいくつかの態様が提示される。これらの装置および方法について、以下の詳細な説明において説明し、様々なブロック、モジュール、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装されてもよい。そのような要素がハードウェアとして実装されるか、ソフトウェアとして実装されるかは、特定の適用例および全体的なシステムに課される設計制約に依存する。
【００１７】
例として、要素、もしくは要素の任意の部分、または要素の任意の組合せは、1つまたは複数のプロセッサを含む「処理システム」を用いて実装されてもよい。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の適切なハードウェアを含む。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１８】
したがって、1つまたは複数の態様では、説明する機能は、ハードウェア、ソフトウェア、ファームウェア、またはそれらの任意の組合せにおいて実装され得る。ソフトウェアにおいて実装される場合、機能は、コンピュータ可読媒体上の1つまたは複数の命令またはコードとして、記憶または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を備えることができる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、およびフロッピーディスク(disk)を含み、ディスク(disk)は通常、データを磁気的に再生し、ディスク(disc)は、レーザーを用いてデータを光学的に再生する。上記の組合せも、コンピュータ可読媒体の範囲内に含まれるべきである。
【００１９】
本明細書で説明するのは、ワイヤレス通信における送信電力を調整することに関する様々な態様である。たとえば、パケットまたは他のデータ単位(説明を簡単にするために、概して本明細書では「データ」、「パケット」、または「データパケット」と呼ばれる)を含み得る信号を送信するための送信電力は、いつパケットの送信が期限切れになるように設定されるかを示す1つまたは複数のパラメータに基づいて、パケットが新規の送信であるかまたは再送信であるかに基づいて、開ループ電力制御が利用されているかまたは閉ループ電力制御が利用されているかに基づいて、送信電力制御(TPC)コマンドの解釈に基づいて、チャネルが制御チャネルであるかまたはデータチャネルであるかに基づいて、制御データのタイプに基づいてなどで、調整され得る。一例では、送信電力は、パケットのための送信または再送信試行インデックス、その後にパケットの送信が期限切れになるパケットデッドライン時間、パケットのための残っている送信または再送信試行の数、パケットの送信バッファのための待ち行列長さなどを含む1つまたは複数のパラメータに基づいて調整され得る。一例では、送信または再送信試行がデッドラインに近いほど、パケットの送信および受信の成功を改善しようとして、送信電力がより高く調整され得る。たとえば、送信または再送信試行インデックスが増加するか、パケットデッドラインが減少するか、残りの送信または再送信試行の数が減少するか、あるいは待ち行列長さが増加すると、送信電力が調整(たとえば、増加または減少)され得る。別の例では、送信電力は、送信のためのデータが新規の送信であるかまたは再送信であるかを示す1つまたは複数のパラメータ(たとえば、基地局から受信された新規データインジケータ(NDI:new data indicator))、送信カウンタ、および/または他の電力制御もしくは管理パラメータに基づいて調整され得る。
【００２０】
一例では、ユーザ機器(UE)は、UEにおいて記憶された構成、1つまたは複数の基地局から受信された構成などに基づいて、この点について送信電力を調整するように構成され得る。たとえば、構成は、1つまたは複数のパラメータの1つまたは複数の値に基づいて、固定または可変の送信電力調整値を示し得る。したがって、たとえば、UEは、1つまたは複数の基地局からの電力調整コマンドを必要とすることなしに、1つまたは複数のパラメータに基づいて送信電力を調整することができる。
【００２１】
特定の一例では、超低レイテンシ(ULL)通信技術、超高信頼低レイテンシ通信(URLLC)または他の5Gニューラジオ(NR)技術などの低レイテンシ通信技術は、第3世代パートナーシッププロジェクト(3GPP)ロングタームエボリューション(LTE)などのレガシーワイヤレス通信技術に基づいてもよいが、異なる長さの送信時間間隔(TTI)を利用してもよい(たとえば、ULLまたはURLLC通信技術は、レガシー通信技術よりも短いTTI持続時間を有してもよい)。たとえば、レガシーLTE技術は、LTEにおいて定義されたサブフレームの持続時間(たとえば、1ミリ秒)を有するTTIを利用してもよく、ULL LTE技術は、サブフレームよりも少ない持続時間を有するTTI(たとえば、1つのシンボル、2つのシンボル、サブフレームスロットなど、サブフレームの区分)に基づくものとすることができる。この点について、通信におけるより低いレイテンシは、より短く、より頻繁なTTIによって達成される。
【００２２】
加えて、URLLCなどの、より低いレイテンシTTIを利用するいくつかのワイヤレス通信技術は、通信を送信/再送信する際に許容できるレイテンシおよび/または通信についての達成され得る信頼度についての追加の仕様を有し得る。干渉管理、電力制御、レート制御などのための以前の機構は、UEと1つまたは複数の基地局との間で送信される関連する通信に対するラウンドトリップ遅延を招く可能性があるフィードバックループを利用し得るので、通信におけるより低いレイテンシを考慮すると、UEがこれらの仕様を達成することは困難である場合がある。たとえば、LTEでは、UE送信電力は、ネットワークによって(たとえば、1つまたは複数の基地局によって)制御され、関連パラメータは、制御メッセージを使用してUEに搬送される。たとえば、ネットワークは、UEの最大送信電力を超えることなしに、UEがサービング基地局においてUEからの通信の高い受信電力を達成するための送信電力と、近隣基地局における(たとえば、しきい値電力を下回る)管理可能な干渉電力とを設定すると決定することができる。LTEにおける開ループ電力制御は、経路損失および帯域幅割振りに基づいてUE送信電力を設定するために使用される場合があり、(たとえば、システム情報ブロードキャスト(SIB)、無線リソース制御(RRC)シグナリングなどを介して)基地局によってシグナリングされたパラメータによって制御される。LTEにおける閉ループ電力制御は、ネットワークがUEに送られた電力制御コマンドを使用してUE送信電力をさらに調整することを可能にすることができ、この場合、UEは、受信された電力制御コマンドを蓄積および適用することができる1つまたは複数の電力制御ループを維持する。LTEにおけるいくつかの例では、TPCコマンドにおいて電力を調整するためのデシベル(dB)レベルを示すために、1ビットまたは2ビットが使用され得る(たとえば、1ビットの場合は-1dB/+1dB、2ビットの場合は+3dB/+1dB/0dB/-1dBなど)。
【００２３】
URLLCでは、たとえば、信頼度仕様を満たすために、複数の再送信試行が使用され得る。(たとえば、特にURLLCパケットが遅延境界に近いときに)URLLCパケットに割り振るための追加の周波数/時間リソースを提供するために、ターボハイブリッド自動再送/要求(HARQ)が提案される。ターボHARQでは、追加のリソースは、ダウンリンクURLLCおよびアップリンクURLLCのためのダウンリンク制御情報(DCI)を使用して基地局によって割り当てられ得る。異なる干渉プロファイルを想定して、チャネル状態情報(CSI)も拡張され得る。加えて、(たとえば、パケットデッドラインが近づくと)連続する再送信試行のための送信電力がより高い値に増加され得るようにUE送信電力が調整され得るが、送信電力を調整するためのレガシー機構を使用することは、UEの電力を調整するために電力制御コマンドの送信を必要とする可能性があり、このことが遅延を招く場合がある。そのような遅延は、信頼度仕様を満たそうとする際にURLLCにおいて許容できない場合があり、パケットがパケットデッドラインに間に合わず、期限切れになる場合がある。したがって、本明細書で説明するのは、いつパケットの送信が期限切れになるように設定されるかに関連する1つまたは複数のパラメータ、パケットが新規の送信であるかまたは再送信であるかなどに基づいて、UEにおいて送信電力を調整することに関連する態様であり、これらの態様は、レガシー機構の制御シグナリングの必要ならびに制御シグナリングに関連付けられた遅延を軽減し得る。
【００２４】
最初に図1を参照すると、図は、本明細書で説明する態様によるワイヤレス通信システム100の一例を示す。ワイヤレス通信システム100は、複数のアクセスポイント(たとえば、基地局、eNB、またはWLANアクセスポイント)105と、いくつかのユーザ機器(UE)115と、コアネットワーク130とを含む。アクセスポイント105は、パケットが期限切れになるように設定される時間に関連する1つまたは複数のパラメータに基づいて、パケットが新規の送信であるかまたは再送信であるかに基づいて、開ループ電力制御が利用されているかまたは閉ループ電力制御が利用されているかに基づいて、TPCコマンド解釈に基づいてなどで、1つまたは複数の信号においてパケットを送信するための送信電力を決定するための構成を1つまたは複数のUE115にできる限り提供するように構成された構成構成要素302を含み得る。同様に、UE115のうちの1つまたは複数は、1つまたは複数の信号においてパケットを1つまたは複数のアクセスポイント105に送信するための送信電力を調整するように構成された通信構成要素361を含み得、送信電力を調整することは、パケットが期限切れになるように設定される時間に関連する1つまたは複数のパラメータに基づく、パケットが新規の送信であるかまたは再送信であるかに基づく、開ループ電力制御が利用されているかまたは閉ループ電力制御が利用されているかに基づく、TPCコマンド解釈に基づく、などであり得る。アクセスポイント105のうちのいくつかは、基地局コントローラ(図示せず)の制御下でUE115と通信してもよく、基地局コントローラは、様々な例では、コアネットワーク130またはいくつかのアクセスポイント105(たとえば、基地局またはeNB)の一部であり得る。アクセスポイント105は、バックホールリンク132を通して、コアネットワーク130と制御情報および/またはユーザデータを通信することができる。例では、アクセスポイント105は、ワイヤードまたはワイヤレス通信リンクであり得るバックホールリンク134を介して、直接または間接的にのいずれかで互いと通信することができる。ワイヤレス通信システム100は、複数のキャリア(異なる周波数の波形信号)上での動作をサポートし得る。マルチキャリア送信機は、複数のキャリア上で被変調信号を同時に送信することができる。たとえば、各通信リンク125は、上記で説明した様々な無線技術に従って変調されたマルチキャリア信号であり得る。各被変調信号は、異なるキャリア上で送られてもよく、制御情報(たとえば、基準信号、制御チャネルなど)、オーバーヘッド情報、データなどを搬送し得る。
【００２５】
いくつかの例では、ワイヤレス通信システム100の少なくとも一部分は、UE115のうちの1つまたは複数およびアクセスポイント105のうちの1つまたは複数が別の階層レイヤに対して低減されたレイテンシを有する階層レイヤ上での送信をサポートするように構成され得る複数の階層レイヤ上で動作するように構成されてもよい。いくつかの例では、ハイブリッドUE115-aは、(「レガシー通信技術」に関し得る)第1のTTIを使用して第1のレイヤ送信をサポートする第1の階層レイヤと(「ULL通信技術」に関し得る)第1のTTIよりも短くてもよい第2のTTIを使用して第2のレイヤ送信をサポートする第2の階層レイヤの両方の上でアクセスポイント105-aと通信し得る。
【００２６】
他の例では、第2のレイヤUE115-bは、第2の階層レイヤ上でのみアクセスポイント105-bと通信し得る。したがって、ハイブリッドUE115-aおよび第2のレイヤUE115-bは、第2の階層レイヤ上で通信し得るUE115の第2のクラスに属し得るが、レガシーUE115は、第1の階層レイヤ上でのみ通信し得るUE115の第1のクラスに属し得る。アクセスポイント105-bおよびUE115-bは、第2のサブフレームタイプのサブフレームの送信を通して、第2の階層レイヤ上で通信し得る。アクセスポイント105-bは、第1の階層レイヤもしくは第2の階層レイヤのみに関する通信を送信し得るか、または第1の階層レイヤと第2の階層レイヤの両方のための通信を送信し得る。アクセスポイント105-bが第1の階層レイヤと第2の階層レイヤの両方をサポートする場合、通信構成要素361は、本明細書で説明するように、第1の階層レイヤおよび第2の階層レイヤに関するアクセスポイント105-bから受信された通信を優先するように構成され得る。
【００２７】
アクセスポイント105は、1つまたは複数のアクセスポイントアンテナを介して、UE115とワイヤレス通信し得る。アクセスポイント105サイトの各々は、それぞれのカバレージエリア110に通信カバレージを提供し得る。いくつかの例では、アクセスポイント105は、基地トランシーバ局、無線基地局、無線トランシーバ、基本サービスセット(BSS)、拡張サービスセット(ESS)、NodeB、eNodeB、ホームNodeB、ホームeNodeB、または何らかの他の適切な用語で呼ばれることがある。基地局のためのカバレージエリア110は、カバレージエリアの一部分のみを構成するセクタ(図示せず)に分割され得る。ワイヤレス通信システム100は、異なるタイプのアクセスポイント105(たとえば、マクロ基地局、マイクロ基地局、および/またはピコ基地局)を含み得る。アクセスポイント105はまた、セルラーおよび/またはWLAN無線アクセス技術(RAT)などの異なる無線技術を利用し得る。アクセスポイント105は、同じまたは異なるアクセスネットワークまたは事業者展開に関連付けられ得る。同じもしくは異なるタイプのアクセスポイント105のカバレージエリアを含む、同じもしくは異なる無線技術を利用する、および/または同じもしくは異なるアクセスネットワークに属する、異なるアクセスポイント105のカバレージエリアは、重複し得る。
【００２８】
LTE/LTE-A、ULL LTE、URLLCなどの通信技術を使用するネットワーク通信システムでは、発展型ノードB(eNodeBまたはeNB)という用語は、一般に、アクセスポイント105を表すために使用され得る。ワイヤレス通信システム100は、異なるタイプのアクセスポイントが様々な地理的領域にカバレージを提供する異種LTE/LTE-A/ULL LTE/URLLCネットワークであり得る。たとえば、各アクセスポイント105は、マクロセル、ピコセル、フェムトセル、および/または他のタイプのセルに通信カバレージを提供し得る。ピコセル、フェムトセル、および/または他のタイプのセルなどのスモールセルは、低電力ノードすなわちLPNを含み得る。マクロセルは、比較的大きい地理的エリア(たとえば、半径数キロメートル)をカバーし得、ネットワークプロバイダのサービスに加入しているUE115による無制限アクセスを可能にし得る。スモールセルは、比較的小さい地理的エリアをカバーし得、たとえば、ネットワークプロバイダのサービスに加入しているUE115による無制限アクセスを可能にし得、無制限アクセスに加えて、スモールセルとの関連付けを有するUE115(たとえば、限定加入者グループ(CSG)内のUE、自宅内のユーザのためのUEなど)による制限付きアクセスも提供し得る。マクロセルのためのeNBは、マクロeNBと呼ばれることがある。スモールセルのためのeNBは、スモールセルeNBと呼ばれることがある。eNBは、1つまたは複数(たとえば、2つ、3つ、4つなど)のセルをサポートし得る。
【００２９】
コアネットワーク130は、1つまたは複数のバックホールリンク132(たとえば、S1インターフェースなど)を介して、eNBまたは他のアクセスポイント105と通信し得る。アクセスポイント105はまた、たとえば、バックホールリンク134(たとえば、X2インターフェースなど)を介しておよび/またはバックホールリンク132を介して(たとえば、コアネットワーク130を通して)、直接または間接的に互いと通信し得る。ワイヤレス通信システム100は、同期動作または非同期動作をサポートし得る。同期動作の場合、アクセスポイント105は、同様のフレームタイミングを有してもよく、異なるアクセスポイント105からの送信は、時間的にほぼ整合され得る。非同期動作の場合、アクセスポイント105は、異なるフレームタイミングを有してもよく、異なるアクセスポイント105からの送信は、時間的に整合されないことがある。さらに、第1の階層レイヤおよび第2の階層レイヤにおける送信は、アクセスポイント105の間で同期されてもよく、同期されなくてもよい。本明細書で説明する技法は、同期動作または非同期動作のいずれかに使用され得る。
【００３０】
UE115は、ワイヤレス通信システム100全体にわたって分散され、各UE115は、固定またはモバイルであり得る。UE115はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、腕時計または眼鏡などの着用可能なアイテム、ワイヤレスローカルループ(WLL)局などであり得る。UE115は、マクロeNodeB、スモールセルeNodeB、リレーなどと通信することが可能であり得る。UE115はまた、セルラーアクセスネットワークもしくは他のWWANアクセスネットワーク、またはWLANアクセスネットワークなどの、異なるアクセスネットワークを介して通信することが可能であり得る。
【００３１】
ワイヤレス通信システム100内に示された通信リンク125は、UE115からアクセスポイント105へのアップリンク(UL)送信、および/またはアクセスポイント105からUE115へのダウンリンク(DL)送信を含み得る。ダウンリンク送信は順方向リンク送信と呼ばれることもあり、アップリンク送信は逆方向リンク送信と呼ばれることもある。通信リンク125は、各階層レイヤの送信を搬送することができ、送信は、いくつかの例では、通信リンク125において多重化され得る。UE115は、たとえば、多入力多出力(MIMO)、キャリアアグリゲーション(CA)、多地点協調(CoMP)、または他の方式によって、複数のアクセスポイント105と協調して通信するように構成され得る。MIMO技法は、複数のデータストリームを送信するために、アクセスポイント105上の複数のアンテナおよび/またはUE115上の複数のアンテナを使用する。キャリアアグリゲーションは、データ送信のために同じまたは異なるサービングセル上で2つ以上のコンポーネントキャリアを利用し得る。CoMPは、UE115のための全体的な送信品質を改善するためのいくつかのアクセスポイント105による送信および受信の協調、ならびにネットワークおよびスペクトル利用の増加のための技法を含み得る。
【００３２】
上述のように、いくつかの例では、アクセスポイント105およびUE115は、複数のキャリア上で送信するためにキャリアアグリゲーションを利用し得る。いくつかの例では、アクセスポイント105およびUE115は、第1の階層レイヤにおいて、フレーム内で、2つ以上の別個のキャリアを使用する第1のサブフレームタイプを各々が有する1つまたは複数のサブフレームを同時に送信し得る。各キャリアは、たとえば、20MHzの帯域幅を有し得るが、他の帯域幅が利用されてもよい。ハイブリッドUE115-aおよび/または第2のレイヤUE115-bは、いくつかの例では、別個のキャリアのうちの1つまたは複数の帯域幅よりも大きい帯域幅を有する単一のキャリアを利用して、第2の階層レイヤにおいて1つまたは複数のサブフレームを受信および/または送信し得る。たとえば、4つの別個の20MHzキャリアが第1の階層レイヤにおいてキャリアアグリゲーション方式で使用される場合、単一の80MHzキャリアが第2の階層レイヤにおいて使用され得る。80MHzキャリアは、4つの20MHzキャリアのうちの1つまたは複数によって使用される無線周波数スペクトルと少なくとも部分的に重複する無線周波数スペクトルの一部分を占有し得る。いくつかの例では、第2の階層レイヤタイプのためのスケーラブルな帯域幅は、さらなる拡張データレートを提供するために、上記で説明したようなより短いRTTを提供する組合せ技法であり得る。
【００３３】
ワイヤレス通信システム100によって用いられ得る異なる動作モードの各々は、周波数分割複信(FDD)または時分割複信(TDD)に従って動作し得る。いくつかの例では、異なる階層レイヤは、異なるTDDモードまたはFDDモードに従って動作し得る。たとえば、第1の階層レイヤはFDDに従って動作し得るが、第2の階層レイヤはTDDに従って動作し得る。いくつかの例では、OFDMA通信信号は、各階層レイヤのLTEダウンリンク送信のために通信リンク125において使用され得るが、シングルキャリア周波数分割多元接続(SC-FDMA)通信信号は、各階層レイヤにおけるLTEアップリンク送信のために通信リンク125において使用され得る。ワイヤレス通信システム100などのシステムにおける階層レイヤの実装、ならびにそのようなシステムにおける通信に関連する他の特徴および機能に関する追加の詳細は、以下の図を参照しながら以下で提供される。
【００３４】
本明細書でさらに説明する例では、UE115は、通信構成要素361を介して、信号においてパケットを1つまたは複数のアクセスポイント105に送信するための送信電力を調整することができる。UE115は、送信/再送信試行インデックスなどの、期限切れになるように設定される前にパケットを送信するためのデッドライン、パケットデッドラインまでの時間、残っている送信/再送信試行の数、UE115における送信バッファの待ち行列長さなどに関連する1つまたは複数のパラメータに少なくとも部分的に基づいて、送信電力を調整することができる。たとえば、UE115は、パケットがそのパケットデッドラインに近づくとき、送信バッファの待ち行列長さが増加するときなどに、(たとえば、URLLC通信システムの仕様を満たすために)パケットを通信する信頼度を改善しようとして、各送信/再送信試行において送信電力を増加することができる。一例では、UE115は、UE115から送信されているパケットが新規の送信であるかまたは再送信であるかに基づいて、開ループ電力制御が利用されているかまたは閉ループ電力制御が利用されているかに基づいて、TPCコマンド解釈に基づいてなどで、構成された送信電力を調整することができる。一例では、UE115は、アクセスポイント105から受信されたNDIもしくはフラグおよび/またはUE115における送信カウンタに基づいて、送信されているパケットが新規の送信であるかまたは再送信であるかを決定し得る。追加の例では、アクセスポイント105は、構成構成要素302を介して、送信電力を調整するためのパラメータを示す構成を用いてUE115を構成することができる。
【００３５】
図2は、LTE、ULL LTE、URLLCなどのネットワークアーキテクチャにおけるアクセスネットワーク200の一例を示す図である。この例では、アクセスネットワーク200は、いくつかのセルラー領域(セル)202に分割される。1つまたは複数のスモールセルeNB208は、セル202のうちの1つまたは複数と重複するセルラー領域210を有し得る。スモールセルeNB208は、フェムトセル(たとえば、ホームeNB(HeNB))、ピコセル、マイクロセル、またはリモートラジオヘッド(RRH)などの低電力クラスの1つまたは複数のセルを提供し得る。マクロeNB204は各々、それぞれのセル202に割り当てられ、セル202内のすべてのUE206にコアネットワーク130へのアクセスポイントを提供するように構成される。一態様では、eNB204および/または208は、パケットが期限切れになるように設定される時間に関連する1つまたは複数のパラメータに基づいて、パケットが新規の送信であるかまたは再送信であるかに基づいて、開ループ電力制御が利用されているかまたは閉ループ電力制御が利用されているかに基づいて、TPC解釈に基づいてなどで、1つまたは複数の信号においてパケットを送信するための送信電力を決定するための構成を1つまたは複数のUE206にできる限り提供するように構成された構成構成要素302を含み得る。同様に、UE206のうちの1つまたは複数は、1つまたは複数の信号においてパケットを1つまたは複数のeNB204、208に送信するための送信電力を調整するように構成された通信構成要素361を含み得、送信電力を調整することは、パケットが期限切れになるように設定される時間に関連する1つまたは複数のパラメータに基づく、パケットが新規の送信であるかまたは再送信であるかに基づく、開ループ電力制御が利用されているかまたは閉ループ電力制御が利用されているかに基づく、TPCコマンド解釈に基づく、などである。アクセスネットワーク200のこの例では集中型コントローラはないが、代替構成では集中型コントローラが使用され得る。eNB204は、無線ベアラ制御、アドミッション制御、モビリティ制御、スケジューリング、セキュリティ、およびコアネットワーク130の1つまたは複数の構成要素への接続性を含む、すべての無線関連機能を担う。
【００３６】
アクセスネットワーク200によって用いられる変調方式および多元接続方式は、展開されている特定の電気通信規格に応じて変わる場合がある。LTE、ULL LTE、URLLCなどの適用例では、周波数分割複信(FDD)と時分割複信(TDD)の両方をサポートするために、DL上ではOFDMが使用される場合があり、UL上ではSC-FDMAが使用される場合がある。当業者が以下の詳細な説明から容易に諒解するように、本明細書で提示する様々な概念は、LTE適用例に好適であり得る。しかしながら、これらの概念は、他の変調技法および多元接続技法を用いる他の電気通信規格に容易に拡張され得る。例として、これらの概念は、エボリューションデータオプティマイズド(EV-DO)またはウルトラモバイルブロードバンド(UMB)に拡張され得る。EV-DOおよびUMBは、CDMA2000規格ファミリーの一部として第3世代パートナーシッププロジェクト2(3GPP2)によって公表されたエアインターフェース規格であり、ブロードバンドインターネットアクセスを移動局に提供するためにCDMAを用いる。これらの概念はまた、広帯域CDMA(W-CDMA)およびTD-SCDMAなどのCDMAの他の変形態を用いるユニバーサル地上波無線アクセス(UTRA)、TDMAを用いるモバイル通信用グローバルシステム(GSM(登録商標))、ならびにOFDMAを用いる発展型UTRA(E-UTRA)、IEEE802.11(Wi-Fi)、IEEE802.16(WiMAX)、IEEE802.20、およびFlash-OFDMに拡張され得る。UTRA、E-UTRA、UMTS、LTEおよびGSM(登録商標)は、3GPP団体による文書に記載されている。CDMA2000およびUMBは、3GPP2団体による文書に記載されている。用いられる実際のワイヤレス通信規格および多元接続技術は、特定の適用例およびシステムに課される全体的な設計制約に依存する。
【００３７】
eNB204、208は、MIMO技術をサポートする複数のアンテナを有し得る。MIMO技術の使用により、eNB204、208は、空間領域を活用して、空間多重化、ビームフォーミング、および送信ダイバーシティをサポートすることが可能になる。空間多重化は、同じ周波数上でデータの異なるストリームを同時に送信するために使用され得る。データストリームは、データレートを上げるために単一のUE206に送信されてもよく、または全体的なシステム容量を増大させるために複数のUE206に送信されてもよい。これは、各データストリームを空間的にプリコーディングし(すなわち、振幅および位相のスケーリングを適用し)、次いで、空間的にプリコーディングされた各ストリームをDL上で複数の送信アンテナを通して送信することによって達成される。空間的にプリコーディングされたデータストリームは、異なる空間シグネチャとともにUE206に到達し、これにより、UE206の各々は、そのUE206に向けられた1つまたは複数のデータストリームを復元することが可能になる。UL上では、各UE206は、空間的にプリコーディングされたデータストリームを送信し、これにより、eNB204、208は、空間的にプリコーディングされた各データストリームのソースを識別することが可能になる。
【００３８】
空間多重化は、一般に、チャネル状態が良好であるときに使用される。チャネル状態があまり好ましくないとき、送信エネルギーを1つまたは複数の方向に集中させるために、ビームフォーミングが使用され得る。このことは、複数のアンテナを通して送信するためにデータを空間的にプリコーディングすることによって達成され得る。セルのエッジにおいて良好なカバレージを達成するために、送信ダイバーシティと組み合わせて単一のストリームビームフォーミング送信が使用され得る。
【００３９】
以下の詳細な説明では、アクセスネットワークの様々な態様について、DL上でOFDMをサポートするMIMOシステムを参照しながら説明する。OFDMは、OFDMシンボル内のいくつかのサブキャリアにわたってデータを変調するスペクトル拡散技法である。サブキャリアは、厳密な周波数で離間される。離間は、受信機がサブキャリアからデータを復元することを可能にする「直交性」をもたらす。時間領域では、OFDMシンボル間干渉をなくすために、各OFDMシンボルにガードインターバル(たとえば、サイクリックプレフィックス)が追加され得る。ULは、高いピーク対平均電力比(PAPR)を補償するために、DFT拡散OFDM信号の形態でSC-FDMAを使用し得る。
【００４０】
図3は、アクセスネットワークにおいてUE350と通信しているeNB310のブロック図である。DLでは、コアネットワークからの上位レイヤパケットが、コントローラ/プロセッサ375に与えられる。コントローラ/プロセッサ375は、L2レイヤの機能を実施する。DLでは、コントローラ/プロセッサ375は、ヘッダ圧縮、暗号化、パケットのセグメント化および並べ替え、論理チャネルとトランスポートチャネルとの間の多重化、ならびに、様々な優先度メトリックに基づくUE350への無線リソース割振りを行う。コントローラ/プロセッサ375はまた、ハイブリッド自動再送/要求(HARQ)動作、紛失したパケットの再送信、およびUE350へのシグナリングを担う。
【００４１】
送信(TX)プロセッサ316は、L1レイヤ(すなわち、物理レイヤ)のための様々な信号処理機能を実施する。信号処理機能は、UE350における前方誤り訂正(FEC)を容易にするためのコーディングおよびインターリービングと、様々な変調方式(たとえば、二位相偏移変調(BPSK)、四位相偏移変調(QPSK)、M位相偏移変調(M-PSK)、M直交振幅変調(M-QAM))に基づく信号コンスタレーションへのマッピングとを含む。次いで、コーディングおよび変調されたシンボルは、並列ストリームに分割される。次いで、各ストリームは、OFDMサブキャリアにマッピングされ、時間領域および/または周波数領域において基準信号(たとえば、パイロット信号)と多重化され、次いで、逆高速フーリエ変換(IFFT)を使用して一緒に合成されて、時間領域OFDMシンボルストリームを搬送する物理チャネルを生成する。OFDMストリームは、空間的にプリコーディングされて、複数の空間ストリームを生成する。チャネル推定器374からのチャネル推定値は、コーディングおよび変調方式を決定するために、ならびに空間処理のために使用され得る。チャネル推定値は、UE350によって送信された基準信号および/またはチャネル状態フィードバックから導出され得る。次いで、各空間ストリームは、別個の送信機318TXを介して異なるアンテナ320に与えられる。各送信機318TXは、送信用のそれぞれの空間ストリームを用いてRFキャリアを変調する。
【００４２】
加えて、eNB310は、パケットが期限切れになるように設定される時間に関連する1つまたは複数のパラメータに基づいて、パケットが新規の送信であるかまたは再送信であるかに基づいて、開ループ電力制御が利用されているかまたは閉ループ電力制御が利用されているかに基づいて、TPCコマンド解釈に基づいてなどで、1つまたは複数の信号においてパケットを送信するための送信電力を決定するための構成を1つまたは複数のUE115にできる限り提供するように構成された構成構成要素302を含み得る。構成構成要素302はコントローラ/プロセッサ375と結合されるものとして示されているが、eNB310の実質的に任意のプロセッサは、(たとえば、コントローラ/プロセッサ375、メモリ376と連携して、または他の方法で)本明細書で説明する構成構成要素302および/またはその関連する構成要素の機能を提供することができる。たとえば、TXプロセッサ316および/またはRXプロセッサ370は、追加または代替として、本明細書で説明するように、構成構成要素302の1つまたは複数の機能を提供することができる。
【００４３】
UE350において、各受信機354RXは、そのそれぞれのアンテナ352を通して信号を受信する。各受信機354RXは、RFキャリア上に変調された情報を復元し、その情報を受信(RX)プロセッサ356に与える。RXプロセッサ356は、L1レイヤの様々な信号処理機能を実施する。RXプロセッサ356は、情報に対して空間処理を実行して、UE350に向けられた任意の空間ストリームを復元する。複数の空間ストリームがUE350に向けられている場合、それらの空間ストリームは、RXプロセッサ356によって単一のOFDMシンボルストリームに合成され得る。次いで、RXプロセッサ356は、高速フーリエ変換(FFT)を使用して、OFDMシンボルストリームを時間領域から周波数領域に変換する。周波数領域信号は、OFDM信号のサブキャリアごとに別個のOFDMシンボルストリームを備える。各サブキャリア上のシンボル、および基準信号は、eNB310によって送信された最も可能性が高い信号コンスタレーションポイントを決定することによって復元され復調される。これらの軟判定は、チャネル推定器358によって計算されたチャネル推定値に基づいてもよい。次いで、軟判定は、物理チャネル上でeNB310によって最初に送信されたデータおよび制御信号を復元するために復号およびデインターリーブされる。次いで、データおよび制御信号は、コントローラ/プロセッサ359に与えられる。
【００４４】
コントローラ/プロセッサ359は、L2レイヤを実装する。コントローラ/プロセッサ359は、プログラムコードおよびデータを記憶するメモリ360に関連付けられ得る。メモリ360は、コンピュータ可読媒体と呼ばれることがある。ULでは、コントローラ/プロセッサ359は、コアネットワークからの上位レイヤパケットを復元するために、トランスポートチャネルと論理チャネルとの間の逆多重化、パケット再アセンブリ、暗号化解除、ヘッダ圧縮解除、制御信号処理を行う。次いで、上位レイヤパケットはデータシンク362に与えられ、データシンク362は、L2レイヤの上のすべてのプロトコルレイヤを表す。様々な制御信号も、L3処理のためにデータシンク362に与えられ得る。コントローラ/プロセッサ359はまた、HARQ動作をサポートするために、肯定応答(ACK)および/または否定応答(NACK)プロトコルを使用する誤り検出を担う。
【００４５】
加えて、UE350は、1つまたは複数の信号においてパケットを1つまたは複数のeNB310に送信するための送信電力を調整するように構成された通信構成要素361を含み得、送信電力を調整することは、パケットが期限切れになるように設定される時間に関連する1つまたは複数のパラメータに基づく、パケットが新規の送信であるかまたは再送信であるかに基づく、開ループ電力制御が利用されているかまたは閉ループ電力制御が利用されているかに基づく、TPCコマンド解釈に基づく、などである。通信構成要素361はコントローラ/プロセッサ359と結合されるものとして示されているが、UE350の実質的に任意のプロセッサは、(たとえば、コントローラ/プロセッサ359、メモリ360と連携して、または他の方法で)本明細書で説明する通信構成要素361および/またはその関連する構成要素の機能を提供することができる。たとえば、TXプロセッサ368および/またはRXプロセッサ356は、追加または代替として、本明細書で説明するように、通信構成要素361の1つまたは複数の機能を提供することができる。
【００４６】
ULでは、データソース367は、上位レイヤパケットをコントローラ/プロセッサ359に与えるために使用される。データソース367は、L2レイヤの上のすべてのプロトコルレイヤを表す。eNB310によるDL送信に関して説明した機能と同様に、コントローラ/プロセッサ359は、ヘッダ圧縮、暗号化、パケットのセグメント化および並べ替え、ならびにeNB310による無線リソース割振りに基づく論理チャネルとトランスポートチャネルとの間の多重化を行うことによって、ユーザプレーンおよび制御プレーンのためのL2レイヤを実装する。コントローラ/プロセッサ359はまた、HARQ動作、紛失したパケットの再送信、およびeNB310へのシグナリングを担う。
【００４７】
eNB310によって送信された基準信号またはフィードバックからチャネル推定器358によって導出されたチャネル推定値は、適切なコーディングおよび変調方式を選択し、空間処理を容易にするために、TXプロセッサ368によって使用され得る。TXプロセッサ368によって生成された空間ストリームは、別個の送信機354TXを介して、異なるアンテナ352に与えられる。各送信機354TXは、送信用のそれぞれの空間ストリームを用いてRFキャリアを変調する。
【００４８】
UL送信は、UE350における受信機機能に関して説明した方式と同様の方式で、eNB310において処理される。各受信機318RXは、そのそれぞれのアンテナ320を通して信号を受信する。各受信機318RXは、RFキャリア上に変調された情報を復元し、その情報をRXプロセッサ370に与える。RXプロセッサ370は、L1レイヤを実装し得る。
【００４９】
コントローラ/プロセッサ375は、L2レイヤを実装する。コントローラ/プロセッサ375は、プログラムコードおよびデータを記憶するメモリ376に関連付けられ得る。メモリ376は、コンピュータ可読媒体と呼ばれることがある。ULでは、コントローラ/プロセッサ375は、UE350からの上位レイヤパケットを復元するために、トランスポートチャネルと論理チャネルとの間の逆多重化、パケット再アセンブリ、暗号化解除、ヘッダ圧縮解除、制御信号処理を行う。コントローラ/プロセッサ375からの上位レイヤパケットは、コアネットワークに与えられ得る。コントローラ/プロセッサ375はまた、HARQ動作をサポートするために、ACKおよび/またはNACKプロトコルを使用する誤り検出を担う。
【００５０】
図4は、ワイヤレス通信システムにおけるULL通信を管理するための、図において時間進行が左から右に伸びるULLタイムライン400、402の非限定的な例を示す図である。この例では、タイムライン400、402は、サブフレームの各シンボル内にシンボル持続時間のULLフレームを含むが、他の例では、ULLタイムラインは、持続時間が2つのシンボル、1つのスロットなどであるTTIを使用してもよい。タイムライン400、402は両方とも、ULL物理ダウンリンク制御チャネル(uPDCCH)および/またはULL物理ダウンリンク共有チャネル(uPDSCH)のためのTTIを表すシンボルと、ULL物理アップリンク制御チャネル(uPUCCH)および/またはULL物理アップリンク共有チャネル(uPUSCH)を含むTTIを表すシンボルとを示している。タイムライン400には、(たとえば、ノーマルCPの場合)所与のサブフレーム内に14個のシンボルが示されており、タイムライン402には、(たとえば、拡張CPの場合)所与のサブフレーム内に12個のシンボルが示されている。いずれの場合も、シンボルベースのTTIを利用することによって、ULLにおいてより低いレイテンシが達成される。他の例では、TTIは、2つ以上のシンボル、サブフレームのスロット(ただし、サブフレームは2つのスロットを含む)などであり得る。加えて、HARQプロセス応答時間は、3つのシンボル(または4つのシンボル、3つのデュアルシンボル、3つのスロットなど)とすることができる。図示の例では、uPDCCH/uPDSCHがシンボル0において送られ、HARQが処理され、サブフレーム内のシンボル4などにおいて送られる。さらに、本明細書で説明する態様によれば、所与のサブフレーム内のいくつかのシンボルは、ダウンリンク通信(たとえば、uPDCCH/uPDSCH)に割り振られ得るが、他のシンボルは、アップリンク通信(たとえば、uPUCCH/uPUSCH)に割り振られる。
【００５１】
図5〜図7を参照すると、本明細書で説明するアクションまたは機能を実行することができる1つまたは複数の構成要素および1つまたは複数の方法に関して態様が示されている。一態様では、本明細書で使用する「構成要素」という用語は、システムを構成する部品のうちの1つであってもよく、ハードウェアまたはソフトウェアまたはそれらの何らかの組合せであってもよく、他の構成要素に分割されてもよい。図6〜図7において以下で説明する動作は、特定の順序でおよび/または例示的な構成要素によって実行されるものとして提示されるが、アクションの順序およびアクションを実行する構成要素は、実装形態に応じて様々であり得ることを理解されたい。さらに、以下のアクションまたは機能は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および/またはソフトウェア構成要素の任意の他の組合せによって実行され得ることを理解されたい。
【００５２】
図5は、ワイヤレス通信を送信するための送信電力を調整するためのシステム500の一例を示す。システム500は、ワイヤレスネットワークにアクセスするためにeNB504と通信するUE502を含み、その例は、上記の図1〜図3において説明されている(たとえば、アクセスポイント105、eNB204、スモールセルeNB208、eNB310、UE115、206、350など)。一態様では、eNB504およびUE502は、その上でダウンリンク信号509を介して通信するための1つまたは複数のダウンリンクチャネルを確立してもよく、ダウンリンク信号509は、本明細書でさらに説明するように、構成された通信リソースを介してeNB504からUE502に(たとえば、シグナリングにおいて)制御および/またはデータメッセージを通信するために、(たとえば、トランシーバ556を介して)eNB504によって送信され、(たとえば、トランシーバ506を介して)UE502によって受信され得る。さらに、たとえば、eNB504およびUE502は、その上でアップリンク信号508を介して通信するための1つまたは複数のアップリンクチャネルを確立することがあり、アップリンク信号508は、本明細書で説明するように、構成された通信リソースを介してUE502からeNB504に(たとえば、シグナリングにおいて)制御および/またはデータメッセージを通信するために、(たとえば、トランシーバ506を介して)UE502によって送信され、(たとえば、トランシーバ556を介して)eNB504によって受信され得る。
【００５３】
一例では、ULL LTE、URLLCなどの、より低いレイテンシ通信技術に関連する通信リソースは、短縮されたタイムライン(たとえば、図4のタイムライン400、402またはURLLCタイムラインなどの、持続時間がサブフレームよりも少ないTTIを有するタイムライン)に基づき得る。本明細書でさらに説明する例では、UE502は、パケットが期限切れになるように設定される前のデッドラインに関連する1つまたは複数のパラメータに基づいて、通信をeNB504に送信するための送信電力を調整することができる。別の例では、UE502は、UE502から送信されることになるデータが新規の送信であるかまたは再送信であるかに基づいて(たとえば、eNB504から受信されたNDIまたはUE502における送信カウンタに少なくとも基づいて)、通信リソース、たとえば、送信電力を決定することができる。別の例では、UE502は、たとえば、開ループ電力制御が使用されているかまたは閉ループ電力制御が使用されているかに基づいて、UE502におけるTPC解釈に基づいてなどで、送信電力を決定することができる。
【００５４】
一態様では、UE502は、たとえば、1つまたは複数のバス507を介して通信可能に結合され得、1つまたは複数の信号においてパケットを1つまたは複数のeNB204、208に送信するための送信電力を調整するための通信構成要素361と連携して動作するかまたは場合によっては通信構成要素361を実装し得る1つもしくは複数のプロセッサ503および/またはメモリ505を含み得、送信電力を調整することは、パケットが期限切れになるように設定される時間に関連し得る1つまたは複数のパラメータに基づく、パケットが新規の送信であるかまたは再送信であるかの指示、開ループ電力制御が利用されているかまたは閉ループ電力制御が利用されているかに基づく、TPC解釈に基づく、などである。たとえば、通信構成要素361に関連する様々な動作は、1つもしくは複数のプロセッサ503によって実装されるか、またはさもなければ実行され得、一態様では、単一のプロセッサによって実行され得るが、他の態様では、動作のうちの異なるものは、2つ以上の異なるプロセッサの組合せによって実行され得る。たとえば、一態様では、1つまたは複数のプロセッサ503は、モデムプロセッサ、またはベースバンドプロセッサ、またはデジタル信号プロセッサ、または特定用途向け集積回路(ASIC)、または送信プロセッサ、受信プロセッサ、またはトランシーバ506に関連付けられたトランシーバプロセッサのうちの任意の1つまたは任意の組合せを含み得る。さらに、たとえば、メモリ505は、限定はしないが、ランダムアクセスメモリ(RAM)、読取り専用メモリ(ROM)、プログラマブルROM(PROM)、消去可能PROM(EPROM)、電気的消去可能PROM(EEPROM)、磁気ストレージデバイス(たとえば、ハードディスク、フロッピーディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、レジスタ、リムーバブルディスク、ならびにコンピュータまたは1つもしくは複数のプロセッサ503によってアクセスされ読み取られ得るソフトウェアおよび/またはコンピュータ可読コードもしくは命令を記憶するための任意の他の適切な媒体を含む非一時的コンピュータ可読媒体であり得る。さらに、メモリ505またはコンピュータ可読記憶媒体は、1つまたは複数のプロセッサ503に常駐する、1つまたは複数のプロセッサ503の外部にある、1つまたは複数のプロセッサ503を含む複数のエンティティにわたって分散される、などであってもよい。
【００５５】
特に、1つもしくは複数のプロセッサ503および/またはメモリ505は、通信構成要素361またはその下位構成要素によって定義されたアクションまたは動作を実行し得る。たとえば、1つもしくは複数のプロセッサ503および/またはメモリ505は、eNBから、パケットを送信するためのデッドラインに関連付けられた1つまたは複数のパラメータ、eNBから受信されたNDI、eNBから受信されたTPCなどに基づいてパケットを送信/再送信するための送信電力に対する調整値を決定するための構成をできる限り受信するための任意選択の構成受信構成要素510によって定義されたアクションまたは動作を実行し得る。一態様では、たとえば、構成受信構成要素510は、ハードウェア(たとえば、1つまたは複数のプロセッサ503の1つまたは複数のプロセッサモジュール)、および/あるいはメモリ505に記憶され、本明細書で説明する特別に構成された構成受信動作を実行するために1つまたは複数のプロセッサ503のうちの少なくとも1つによって実行可能なコンピュータ可読コードまたは命令を含み得る。
【００５６】
さらに、たとえば、1つもしくは複数のプロセッサ503および/またはメモリ505は、パケットを送信するためのデッドラインに関連付けられた1つまたは複数のパラメータを決定するための任意選択のデッドライン決定構成要素512によって定義されたアクションまたは動作を実行し得る。一態様では、たとえば、デッドライン決定構成要素512は、ハードウェア(たとえば、1つまたは複数のプロセッサ503の1つまたは複数のプロセッサモジュール)、および/あるいはメモリ505に記憶され、本明細書で説明する特別に構成されたデッドライン決定動作を実行するために1つまたは複数のプロセッサ503のうちの少なくとも1つによって実行可能なコンピュータ可読コードまたは命令を含み得る。さらに、たとえば、1つもしくは複数のプロセッサ503および/またはメモリ505は、送信が新規の送信であるかまたは再送信であるかを決定することを含み得る、再送信のインデックスを決定することを含み得るなどの、パケットを送信することに関連付けられたインデックスを決定するための任意選択の送信インデックス付け構成要素514によって定義されたアクションまたは動作を実行し得る。たとえば、送信インデックス付け構成要素514は、UE502において受信されたHARQフィードバックに基づいて再送信試行の数を追跡するための送信カウンタ516を含み得る。一態様では、たとえば、送信インデックス付け構成要素514は、ハードウェア(たとえば、1つまたは複数のプロセッサ503の1つまたは複数のプロセッサモジュール)および/またはメモリ505に記憶され、本明細書で説明する特別に構成された送信インデックス付け動作を実行するために1つまたは複数のプロセッサ503のうちの少なくとも1つによって実行可能なコンピュータ可読コードもしくは命令を含み得る。さらに、たとえば、1つもしくは複数のプロセッサ503および/またはメモリ505は、パケットを送信するためのデッドラインに関連付けられた1つまたは複数のパラメータ、eNBから受信されたNDI、eNBから受信されたTPCなどに基づいて信号においてパケットを送信するための送信電力を調整するための電力調整構成要素518によって定義されたアクションまたは動作を実行し得る。一態様では、たとえば、電力調整構成要素518は、ハードウェア(たとえば、1つまたは複数のプロセッサ503の1つまたは複数のプロセッサモジュール)および/またはメモリ505に記憶され、本明細書で説明する特別に構成された電力調整動作を実行するために1つまたは複数のプロセッサ503のうちの少なくとも1つによって実行可能なコンピュータ可読コードもしくは命令を含み得る。
【００５７】
同様に、一態様では、eNB504は、たとえば、1つまたは複数のバス557を介して通信可能に結合され得、パケットが期限切れになるように設定される時間に関連する1つまたは複数のパラメータ、パケットが新規の送信であるかまたは再送信であるか、開ループ電力制御が利用されているかまたは閉ループ電力制御が利用されているか、TPC解釈などに基づいて、1つまたは複数の信号においてパケットを送信するための送信電力を決定するための構成を1つまたは複数のUE206にできる限り提供するための構成構成要素302と連携して動作するかまたは場合によっては構成構成要素302を実装し得る1つもしくは複数のプロセッサ553および/またはメモリ555を含み得る。たとえば、構成構成要素302に関連する様々な機能は、1つもしくは複数のプロセッサ553によって実装されるか、またはさもなければ実行され得、上記で説明したように、一態様では、単一のプロセッサによって実行され得るが、他の態様では、機能のうちの異なるものは、2つ以上の異なるプロセッサの組合せによって実行され得る。一例では、1つもしくは複数のプロセッサ553および/またはメモリ555は、UE502の1つもしくは複数のプロセッサ503および/またはメモリ505に関して上記の例で説明したように構成され得る。一例では、1つもしくは複数のプロセッサ553および/またはメモリ555は、構成構成要素302またはその下位構成要素によって定義されたアクションまたは動作を実行し得る。
【００５８】
一例では、トランシーバ506、556は、1つまたは複数のアンテナ582、584を通してワイヤレス信号を送信および受信するように構成されてもよく、1つまたは複数のRFフロントエンド構成要素(たとえば、電力増幅器、低雑音増幅器、フィルタ、アナログデジタル変換器、デジタルアナログ変換器など)、1つまたは複数の送信機、1つまたは複数の受信機などを使用して信号を生成または処理してもよい。一態様では、トランシーバ506、556は、UE502および/またはeNB504が特定の周波数で通信することができるように、指定された周波数で動作するように同調され得る。一態様では、関連するアップリンクまたはダウンリンク通信チャネルを介してアップリンク信号508および/またはダウンリンク信号509をそれぞれ通信するために、構成、通信プロトコルなどに基づいて指定された周波数および電力レベルで動作するように、1つもしくは複数のプロセッサ503がトランシーバ506を構成してもよく、かつ/または、1つもしくは複数のプロセッサ553がトランシーバ556を構成してもよい。
【００５９】
一態様では、トランシーバ506、556は、トランシーバ506、556を使用して送受信されるデジタルデータを処理するように、(たとえば、マルチバンドマルチモードモデム(図示せず)を使用して)複数の帯域で動作することができる。一態様では、トランシーバ506、556は、マルチバンドであり、特定の通信プロトコルのための複数の周波数帯域をサポートするように構成され得る。一態様では、トランシーバ506、556は、複数の動作ネットワークおよび通信プロトコルをサポートするように構成され得る。したがって、たとえば、トランシーバ506、556は、指定されたモデム構成に基づいて信号の送信および/または受信を可能にし得る。
【００６０】
図6は、1つまたは複数のパケットを含み得る1つまたは複数の信号を基地局に送信するための送信電力を(たとえば、UEによって)調整するための方法600の一例を示す。方法600では、点線ボックスとして示されるブロックは、任意選択のステップを表す。
【００６１】
ブロック602において、UEは、しきい値信頼度に関連付けられた接続を介して基地局との通信が構成されると決定し得る。一態様では、通信構成要素361は、たとえば、プロセッサ503、メモリ505、および/またはトランシーバ506と連携して、しきい値信頼度に関連付けられた接続を介して基地局(たとえば、eNB504)との通信が構成されると決定することができる。たとえば、通信構成要素361は、接続が少なくともしきい値信頼度に基づくURLLCまたは他のワイヤレス通信技術のために構成されると決定することができる。たとえば、接続が拡張モバイルブロードバンド(eMBB)のために構成されると通信構成要素361が決定する場合、本明細書で説明する態様を採用することなしに(たとえば、パケットデッドライン関連のパラメータに基づいて送信電力調整値を修正することなしに、パケットが新規の送信であるかまたは再送信であるかを考慮せずに、など)電力制御管理が行われ得る。一例では、しきい値信頼度は、指定されたデッドライン内でデータの一部を獲得するという点で、しきい値信頼度がデータ(たとえば、データパケット)を通信することに関連するように、しきい値信頼度でデータを提供するためのデッドラインと相関し得る。別の例では、通信構成要素361は、しきい値信頼度(たとえば、データの一部、指定されたデッドラインなど)を獲得するときに、接続に関連付けられた信頼度メトリックを(たとえば、eNB504から受信された1つまたは複数のパラメータに基づいて)決定することができる。いずれの場合も、たとえば、通信構成要素361は、接続のための構成において指定され得る接続の1つまたは複数のパラメータ(たとえば、ワイヤレス通信技術のタイプ、信頼度仕様など)に基づいて、少なくともしきい値信頼度を提供するために接続が構成されると決定することができる。たとえば、eNB504は、接続のためのリソース許可(たとえば、ダウンリンク許可またはアップリンク許可)において、接続に対応するコンポーネントキャリアをアクティブ化するためのコマンドにおいて、上位レイヤシグナリング(たとえば、RRCシグナリング)において、ブロードキャストシステム情報(たとえば、SIB)においてなどで、接続の1つまたは複数のパラメータを示し得る。
【００６２】
任意選択で、ブロック604において、UEは、構成された送信電力を調整するための構成を基地局から受信することができる。一態様では、構成受信構成要素510は、たとえば、プロセッサ503、メモリ505、および/またはトランシーバ506と連携して、構成された送信電力を調整するための構成を基地局(たとえば、eNB504)から受信することができる。一例では、構成は、データがその期限切れのデッドラインにどのくらい近づいているかに基づいて、データを送信する際にUE502がどのくらいの電力を使用することになるかを指定する、送信電力プロファイルを含むことができる。たとえば、この点について、本明細書でさらに説明するように、構成は、送信電力調整値および/または送信電力調整値を適用するための関連するパラメータ値を示し得る。たとえば、構成における送信電力調整値は、現在の送信電力または他の方法で構成された送信電力に適用するための係数に対応してもよく、係数は、固定または可変の係数、現在の送信電力または他の方法で構成された送信電力に足すかまたはその送信電力から引くための固定または可変の調整値、固定の送信電力などであり得る。加えて、送信電力調整値は、データの各送信/再送信について同じであってもよく、またはデータの再送信の数が増加するにつれて異なっていてもよい。
【００６３】
閉ループ電力制御の一例では、UE502および/または構成受信構成要素510は、構成された送信電力を調整するためのTPCをeNB504から受信し得る。TPCは、送信電力調整値を示すために1ビットTPC、2ビットTPCなどであってもよく、これらのTPCは、UE502が新規の送信を送信しているかまたは再送信を送信しているかに応じて送信電力を調整するためにUE502によって異なるように解釈され得る。開ループ電力制御の一例では、UE502および/または構成受信構成要素510は、構成された送信電力をUE502において調整するための電力制御パラメータをeNB504から受信し得る。UE502および/または構成受信構成要素510は、RRCシグナリングもしくは上位レイヤシグナリング、SIBまたは他のブロードキャストメッセージなどを介して、セル固有またはUE固有であり得る構成をTPCとしておよび/または電力制御パラメータとして受信し得、電力制御パラメータは、パケット送信が新規の送信であるかまたは再送信であるか、再送信インデックスなどに基づく、TPCのための係数または調整値を示す。閉ループ制御と開ループ制御の両方において、UE502は、本明細書で説明するように、UL制御チャネルおよびデータチャネルについて、構成された送信電力を別個に調整し得る。これは、UE502において送信電力を管理するための柔軟性をもたらすことができる。
【００６４】
さらに、一例では、UE502における送信カウンタ516に基づいて、または、パケットについて示されたNDI、その後にパケットが期限切れになるように設定されるパケットデッドライン、実行される送信もしくは再送信試行(HARQ送信)の数、送信バッファの待ち行列長さなどに基づいて決定され得る送信または再送信試行インデックス(たとえば、HARQインデックス)などのパラメータについて、関連するパラメータ値が構成において示され得る。したがって、たとえば、これらのパラメータのうちの1つまたは複数の各々について、構成は、(たとえば、1つまたは複数のパラメータの値の何らかの変更についての、1つまたは複数のパラメータの値の範囲についての、などの)1つまたは複数の送信電力調整値を示すことができる。別の例では、構成は、eNB504から受信されないことがあり、UE502における命令において実装され、UE502のメモリ505に記憶されることなどがある。
【００６５】
ブロック606において、UEは、接続がしきい値信頼度に関連付けられるとの決定に基づいて、構成された送信電力を、接続を介した送信試行のための調整された送信電力に調整することができる。一態様では、電力調整構成要素518は、たとえば、プロセッサ503、メモリ505、および/またはトランシーバ506と連携して、接続がしきい値信頼度に関連付けられるとの決定に基づいて、構成された送信電力を、接続を介した送信試行のための調整された送信電力に調整することができる。たとえば、接続がしきい値信頼度に関連付けられる場合、電力調整構成要素518は、受信デバイス(たとえば、eNB504)がデータを受信する尤度を改善するために、データを送信するための送信電力を増加することができる。たとえば、電力調整構成要素518は、必ずしもeNB504からの電力調整コマンドを必要とすることなしに、送信電力調整値に基づいて電力を調整することができ、このことは、レガシー手順に関連付けられたレイテンシを省くことができ、したがって、より低いレイテンシ通信技術を使用するネットワークにおいて有益であり得る。
【００６６】
一例では、ブロック606において、構成された送信電力を調整する際に、任意選択でブロック608において、UEは、データを送信するためのデッドラインに関連する1つまたは複数のパラメータを決定することができる。一態様では、デッドライン決定構成要素512は、たとえば、プロセッサ503、メモリ505、および/またはトランシーバ506と連携して、データを送信するためのデッドラインに関連する1つまたは複数のパラメータを決定することができる。たとえば、デッドラインに関連する1つまたは複数のパラメータは、(たとえば、リソース許可における、コンポーネントキャリアアクティブ化コマンドにおける、RRCシグナリングにおける、システム情報ブロードキャスト(たとえば、SIB)におけるなどの、eNB504から受信された接続のための構成において)接続について指定され得る。
【００６７】
一例では、1つまたは複数のパラメータは、データについて実行された送信(たとえば、HARQ送信)試行の数に対応してもよく、データは、UE502からの信号において送信されるデータパケットなどのデータ単位に対応することができる。たとえば、デッドライン決定構成要素512は、NDIに少なくとも部分的に基づいて、送信試行の数を決定することができる(たとえば、NDI=1は1回の送信試行を示すことができ、NDI=0は1回よりも大きい送信試行の数を示すことができる)。別の例では、デッドライン決定構成要素512は、送信カウンタ516に少なくとも部分的に基づいて、送信試行の数を決定することができる。
【００６８】
別の例では、1つまたは複数のパラメータは、接続に関連する1つまたは複数のパラメータに基づいて最初に指定され、(たとえば、関連するタイマーを使用して)UE502によって管理され得る、データパケットに関連付けられたパケットデッドラインまでの時間に対応し得る。別の例では、1つまたは複数のパラメータは、接続のために構成された送信試行の最大数と実行された試行の数とに基づき得る、データパケットが期限切れになる(たとえば、さらなる再送信試行なしに、バッファからドロップされる)までの残りの送信(たとえば、HARQ送信)試行の数に対応し得る。別の例では、1つまたは複数のパラメータは、データパケットをeNB504に送信するための通信構成要素361における送信バッファの待ち行列長さに対応し得る。たとえば、通信構成要素361は、これらのパラメータを記憶することができ、デッドライン決定構成要素512は、送信電力調整値を決定するためのパラメータのうちの1つまたは複数を取得することができる。
【００６９】
したがって、この例では、ブロック606において、構成された送信電力を調整する際に、任意選択でブロック610において、UEは、1つまたは複数のパラメータに基づいて、構成された送信電力を調整することができる。一態様では、電力調整構成要素518は、たとえば、プロセッサ503、メモリ505、および/またはトランシーバ506と連携して、1つまたは複数のパラメータに基づいて、構成された送信電力を調整することができる。たとえば、電力調整構成要素518は、1つまたは複数のパラメータの値、1つまたは複数のパラメータの変更を検出したことなどに基づいて、調整された送信電力を決定することができる。調整された送信電力は、現在の送信電力に対する係数として適用される固定または可変の送信電力調整値、現在の送信電力に対する増分として適用される固定または可変の送信電力調整値、調整された送信電力として適用される固定または可変の送信電力調整値などに基づき得る。
【００７０】
たとえば、電力調整構成要素518は、構成に基づいて送信電力調整値を決定することができる。一例では、説明したように、構成は、ブロック604において基地局またはeNB504から受信され得る。一例では、eNB504は、UE502との接続を介してURLLCモードで動作するときの構成を提供し得る。一例では、UE502は、それに応じて、構成内の送信電力調整値に基づいて、次に続く送信(たとえば、HARQ送信)試行のための送信電力を調整するための構成に基づくレガシー電力制御メッセージを再解釈し得る。別の例では、構成は、送信電力を調整するための命令において、または構成においてなどで、UE502のメモリ505に記憶され得る。一例では、UE502およびeNB504は、暗黙の同意を有することがあり、URLLC動作の場合、UEは、送信電力調整値を使用する以前の送信と比較して、送信電力調整値を後続の送信(たとえば、HARQ送信)試行のための送信電力に適用する。
【００７１】
いずれの場合も、一例では、構成は、1つまたは複数のパラメータの複数の値の各々において、(たとえば、現在の送信電力を増倍するための係数として、または現在の送信電力に対する増分として)適用されることになる送信電力調整値、または一定の送信電力を示し得る。別の例では、構成は、1つまたは複数のパラメータの値が変化する(たとえば、HARQ送信試行ごとに3デシベル(dB)増分する)たびに適用されることになる送信電力調整値を示し得る。
【００７２】
特定の例では、構成は、HARQ試行インデックスについての1つまたは複数の送信電力調整値を示し得る(たとえば、送信電力は、eNB504によって受信されなかった各HARQ試行の後に増加し得る)。たとえば、構成は、特定のHARQ試行インデックスごとの、または概してHARQ試行インデックスが増加されるたびの、送信電力調整値を示し得る。たとえば、構成は、2ビットTPCを(たとえば、最初の送信用の)3dB、+1dB、0dB、-1dBの可能な値を有することから(たとえば、再送信用の)+5dB、+3dB、+1dB、0dBの可能な値を有することに切り替えることを示し得る。したがって、たとえば、デッドライン決定構成要素512は、1つまたは複数のパラメータが新規の送信を示すと決定することができ、それに応じて、可能な2ビットTPC値を+3dB、+1dB、0dB、-1dBにマッピングすることができるか、または、1つまたは複数のパラメータが再送信を示すと決定することができ、それに応じて、可能な2ビットTPC値を+5dB、+3dB、+1dB、0dBにマッピングすることができる(たとえば、かつ/または、送信カウンタ516の値に基づいて、2ビットTPC値を他の電力調整値にマッピングすることができる)。次いで、(たとえば、eNB504から)構成受信構成要素510によって受信されたTPCに基づいて、電力調整構成要素518は、TPC値およびマッピングに基づく送信電力調整値を決定することができる。一例では、実質的にすべての送信パラメータ調整値が、可能なTPC値にマッピングされ得る(たとえば、新規の送信の場合はWdB、XdB、YdB、ZdB、ただし、W>X>Y>Zであり、再送信の場合はSdB、TdB、UdB、VdB、ただし、S>T>U>Vであり、ただし、S>W、T>X、U>Y、かつV>Zである)。これらの例では、UE502は、新規の送信と比較して、より高い電力粒度で(たとえば、より積極的に)再送信を増分することができ、このことは、パケットをドロップする前の再送信の数が制限され得るので、有益であり得る。別の例では、送信カウンタ516の異なる値について、追加のマッピングが指定され得る。
【００７３】
同様に、たとえば、構成は、1ビットTPCを切り替えることを示し得る。たとえば、構成は、1ビットTPCを(たとえば、最初の送信用の)+1dBおよび-1dBの可能な値を有することから(たとえば、再送信用の)+3dBおよび0dBの可能な値を有することに切り替えることを示し得る。たとえば、構成受信構成要素510は、アップリンク制御チャネルリソースのためのダウンリンク許可(1ビットTPCまたは2ビットTPCを含み得る)、アップリンクデータチャネルリソースのためのダウンリンク許可(2ビットTPCを含み得る)などのダウンリンク許可において、TPCを受信することができる。いずれの場合も、デッドライン決定構成要素512は、(たとえば、NDIおよび/または送信カウンタ516に基づいて)データの次の送信のためのHARQ試行インデックスを決定することができ、電力調整構成要素518は、関連する送信電力調整値を決定し、現在の送信電力に適用することができる。
【００７４】
別の例では、デッドライン決定構成要素512は、送信が(たとえば、異なるキャリアからの)複数のパケットのためのものかどうかに基づいて、グループTPCが受信されるかどうかに基づく、パケットにおいて送信されることになるデータのタイプに基づいてなどの、1つまたは複数のパラメータを決定することができる。たとえば、電力調整構成要素518は、デッドライン決定構成要素512が、複数の構成されたキャリアのうちの特定のキャリア(たとえば、1次セルのキャリア)上のダウンリンク送信に関するパラメータを決定したことに基づいて(たとえば、特定のキャリア上のダウンリンク送信が新規の送信であるかまたは再送信であるかに基づいて、など)、送信電力調整値のセットを可能なTPC値に適用すると決定することができる。別の例では、電力調整構成要素518は、デッドライン決定構成要素512が(たとえば、複数のキャリア上のダウンリンク送信に応じた)2つ以上のキャリアの組合せに関するパラメータなどを決定したことに基づいて、送信電力調整値のセットを可能なTPC値に適用すると決定することができる。別の例では、電力調整構成要素518は、受信されたTPCがUEのグループに対応するとデッドライン決定構成要素512が決定したことに基づいて、送信電力調整値のセットを可能なTPC値に適用すると決定することができる(たとえば、電力調整構成要素518は、グループTPCのための新規の送信と同様の値を適用すると決定することができる)。別の例では、電力調整構成要素518は、送信されることになるパケットがCSIなどのアップリンク制御情報を搬送するとデッドライン決定構成要素512が決定することに基づいて、電力調整値のセットを可能なTPC値に適用すると決定することができる(たとえば、電力調整構成要素518は、この場合、新規の送信と同様の送信電力調整値を適用すると決定することができる)。
【００７５】
たとえば、説明したように、構成受信構成要素510は、セル固有、UE固有などであり得る、新規の送信および再送信のための開ループ電力制御パラメータの異なるセットを受信することができる。別の例では、構成受信構成要素510は、新規の送信のためのパラメータのデフォルトセットと、所与の送信が再送信であることをNDIが示す場合にデフォルトパラメータに適用されるべき、再送信のための追加のデルタパラメータとを受信することができる。いずれの場合も、電力調整構成要素518は、適切なパラメータを適用して送信電力を調整することができる。加えて、たとえば、電力調整構成要素518は、説明したように、新規の送信および再送信に適用されるべき異なるTPCを受信することを含み得る、新規の送信および再送信のための異なる閉ループ動作を管理し得る。
【００７６】
別の特定の例では、構成は、データパケットデッドラインについての送信電力調整値を示し得る(たとえば、データパケットがそのデータパケットデッドラインに近づくと、データパケットに対する送信電力は増加し得る)。したがって、たとえば、デッドライン決定構成要素512は、上記で説明したように、送信されている所与のデータパケットに対して初期化されたタイマーに基づき得る、データパケットデッドラインまでの時間を決定することができる。構成は、パケットデッドラインまでの時間の範囲についての送信電力調整値を示すことができ、電力調整構成要素518は、パケットデッドラインについての関連する送信電力調整値を決定し、現在の送信電力に適用することができる。
【００７７】
特定の例では、構成は、残りのHARQ試行の数についての送信電力調整値を示し得る(たとえば、残りのHARQ試行の数が減少すると、送信電力は増加し得る)。たとえば、説明したように、HARQ試行の最大数が接続のために構成され得、デッドライン決定構成要素512は、HARQ試行の最大数と、データのためにすでに実行されたHARQ送信の数とに基づいて、残りのHARQ試行の数を決定することができる。たとえば、構成は、残りのHARQ試行の各数についての、または残りのHARQ試行の範囲についての送信電力調整値を示し得る。いずれの場合も、電力調整構成要素518は、残りのHARQ試行の数に関連付けられた送信電力調整値を決定することができ、関連する送信電力調整値を現在の送信電力に適用することができる。
【００７８】
別の特定の例では、構成は、送信バッファの待ち行列長さについての送信電力調整値を示し得る(たとえば、待ち行列サービスレートを改善し、パケット期限切れを回避するために、待ち行列長さがしきい値を達成する場合、送信電力は増加し得る)。したがって、たとえば、デッドライン決定構成要素512は、UE502における送信バッファの待ち行列長さを決定することができる。構成は、待ち行列長さの範囲についての送信電力調整値を示すことができ、電力調整構成要素518は、パケットデッドラインについての関連する送信電力調整値を決定し、現在の送信電力に適用することができる。
【００７９】
また別の例では、構成は、送信電力を、1つまたは複数の所与の送信(たとえば、HARQ送信)試行のための、UE502用に構成された最大送信電力に調整するように指定し得る。一例では、UEがデータパケットデッドラインの前の残っている送信試行のしきい値数および/または一定の再送信インデックス(たとえば、送信カウンタ516の一定の値)未満を有するとき、eNB504はこれをUE502に伝達し得る。
【００８０】
上記の例は限定的なものと解釈すべきではなく、一例では、互いと連携して実行されてもよい。加えて、説明したように、送信電力調整値を適用することは、現在の送信電力に送信電力調整値を掛けること、送信電力調整値を現在の送信電力に加えること、現在の送信電力を電力調整値として設定することなどを含み得る。また、たとえば、送信電力調整値を適用することまたはそうでなければ送信電力を決定することは、電力調整構成要素518が最大送信電力まで(ただし、最大送信電力よりも大きくない)を調整することができるように、UE502のための指定された最大送信電力にも基づき得る。
【００８１】
ブロック612において、UEは、調整された送信電力でデータを送信することができる。一態様では、通信構成要素361は、たとえば、プロセッサ503、メモリ505、および/またはトランシーバ506と連携して、調整された送信電力でデータを送信することができる。たとえば、通信構成要素361は、調整された送信電力を実現するために、電力増幅器および/または1つもしくは複数のRFフロントエンド構成要素を調整することができる。加えて、たとえば、送信インデックス付け構成要素514は、データを送信した後に送信カウンタ516を増分し得る。一例では、送信が新規の送信である(たとえば、NDIに基づく)場合、送信インデックス付け構成要素514は、送信カウンタ516を1に設定することができ、(再送信が行われる場合)パケットの再送信ごとに増分することができる。
【００８２】
図7は、UEにおいて送信電力調整値を適用するための構成を(たとえば、eNBによって)構成するための方法700の一例を示す。方法700では、点線ボックスとして示されるブロックは、任意選択のステップを表す。
【００８３】
ブロック702において、eNBは、しきい値信頼度に関連付けられると決定された接続を介したデータの送信のための送信電力を調整するための構成を生成し得る。一態様では、構成構成要素302は、たとえば、プロセッサ553、メモリ555、および/またはトランシーバ556と連携して、しきい値信頼度に関連付けられると決定された接続を介したデータの送信のための送信電力を調整するための構成を生成することができる。説明したように、構成は、その後にデータパケットの送信が期限切れになるデッドラインに関連する1つまたは複数のパラメータのための、パケットが新規の送信であるかまたは再送信であるかの指示、開ループ電力制御が利用されているかまたは閉ループ電力制御が利用されているかに基づく、TPC解釈に基づく、などの1つまたは複数の送信電力調整値を指定することができる。たとえば、構成は、いくつかの送信(たとえば、HARQ送信)試行のうちの少なくとも1つのための1つまたは複数の送信電力調整値を(たとえば、各試行もしくは試行の範囲のための、または概してすべての試行に適用される特定の値として)指定することができる。たとえば、1つまたは複数の送信電力調整値は、説明したように、TPCの可能な値に対応し得る。別の例では、構成は、データパケットデッドラインまでの時間(たとえば、データパケットデッドラインの1つまたは複数の範囲の各々のための特定の値として)、残りの送信(たとえば、HARQ送信)試行の数(たとえば、残りの送信試行の1つまたは複数の範囲の各々のための特定の値として)、送信バッファの待ち行列長さ(たとえば、待ち行列長さの1つまたは複数の範囲の各々のための特定の値として)などを指定することができる。さらに、説明したように、送信電力調整値は、現在の送信電力を増倍するための係数、現在の送信電力に対する増分、現在の送信電力の代替などに対応することができる。加えて、構成は、UEがパケットを新規の送信として送信すべきかまたは再送信として送信すべきかをUEに示すNDIを含み得る。別の例では、構成、および/または後で提供される構成は、UE固有であり得る、UEのグループに適用され得るなどのTPCを含み得る。
【００８４】
ブロック704において、eNBは、構成をUEに送信し得る。一態様では、構成構成要素302は、たとえば、プロセッサ553、メモリ555、および/またはトランシーバ556と連携して、構成をUE502に送信することができる。たとえば、構成構成要素302は、ダウンリンク制御情報(DCI)において、DCIフォーマットとして、接続に関連するリソース許可、接続に関連するコンポーネントキャリアをアクティブ化するためのコマンド、RRCシグナリング、システム情報ブロードキャストなどの一部として、構成をUE502に送信することができる。
【００８５】
ブロック706において、eNBは、UEから、構成に少なくとも部分的に基づく調整(たとえば、増加または減少)された送信電力で1つまたは複数の送信を受信し得る。一態様では、トランシーバ556は、たとえば、プロセッサ553、メモリ555などと連携して、UE502から、構成に少なくとも部分的に基づく調整された送信電力で1つまたは複数の送信を受信することができる。説明したように、UE502は、構成と、データパケットを送信するためのデッドラインに関連付けられた1つもしくは複数のパラメータ、eNB504から受信されたNDI(もしくはUE502における送信カウンタ516)、および/またはシステム情報ブロック(SIB)メッセージもしくは無線リソース制御(RRC)メッセージを介してeNB504から受信された電力制御パラメータなどとに基づいて、送信電力を調整することができる。
【００８６】
開示したプロセスにおけるステップの特定の順序または階層は例示的な手法の例示であることを理解されたい。設計上の選好に基づいて、プロセスにおけるステップの特定の順序または階層は再構成される場合があることを理解されたい。さらに、いくつかのステップは、組み合わされるか、または省略される場合がある。添付の方法クレームは、様々なステップの要素を例示的な順序で提示したものであり、提示された特定の順序または階層に限定されるものではない。
【００８７】
上述の説明は、いかなる当業者も本明細書で説明する様々な態様を実践できるようにするために提供される。これらの態様への様々な修正は当業者に容易に明らかになり、本明細書で定義する一般原理は他の態様に適用され得る。したがって、特許請求の範囲は、本明細書に示す態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後で知られることになる、本明細書で説明する様々な態様の要素のすべての構造的および機能的等価物は、参照により本明細書に明確に組み込まれ、特許請求の範囲によって包含されるものとする。さらに、本明細書で開示したものは、そのような開示が特許請求の範囲に明示的に列挙されているかどうかにかかわらず、公に供されるものではない。いかなるクレーム要素も、要素が「ための手段」という句を使用して明確に列挙されていない限り、ミーンズプラスファンクションとして解釈されるべきではない。
【符号の説明】
【００８８】
100  ワイヤレス通信システム
105  アクセスポイント
105-a  アクセスポイント
105-b  アクセスポイント
110  カバレージエリア
115  ユーザ機器(UE)、UE、レガシーUE
115-a  ハイブリッドUE
115-b  第2のレイヤUE、UE
125  通信リンク
130  コアネットワーク
132  バックホールリンク
134  バックホールリンク
200  アクセスネットワーク
202  セルラー領域(セル)、セル
204  マクロeNB、eNB
206  UE
208  スモールセルeNB、eNB
210  セルラー領域
302  構成構成要素
310  eNB
316  送信(TX)プロセッサ、TXプロセッサ
318RX  受信機
318TX  送信機
320  アンテナ
350  UE
352  アンテナ
354RX  受信機
354TX  送信機
356  受信(RX)プロセッサ、RXプロセッサ
358  チャネル推定器
359  コントローラ/プロセッサ
360  メモリ
361  通信構成要素
362  データシンク
368  TXプロセッサ
367  データソース
370  RXプロセッサ
374  チャネル推定器
375  コントローラ/プロセッサ
376  メモリ
400  ULLタイムライン、タイムライン
402  ULLタイムライン、タイムライン
500  システム
502  UE
503  プロセッサ
504  eNB
505  メモリ
506  トランシーバ
507  バス
508  アップリンク信号
509  ダウンリンク信号
510  構成受信構成要素
512  デッドライン決定構成要素
514  送信インデックス付け構成要素
516  送信カウンタ
518  電力調整構成要素
553  プロセッサ
555  メモリ
556  トランシーバ
557  バス
582  アンテナ
584  アンテナ
600  方法
700  方法
【図１】
2019533378.tif 000003
【図２】
2019533378.tif 000004
【図３】
2019533378.tif 000005
【図４】
2019533378.tif 000006
【図５】
2019533378.tif 000007
【図６】
2019533378.tif 000008
【図７】
2019533378.tif 000009
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ワイヤレス通信における送信電力を制御するための方法であって、
ユーザ機器(UE)において、しきい値信頼度に関連付けられた接続を介して基地局との通信が構成されると決定するステップと、
構成された送信電力を、前記接続を介した送信試行のための調整された送信電力に調整するステップであって、前記構成された送信電力を調整するステップが、前記接続が前記しきい値信頼度に関連付けられるとの決定に少なくとも部分的に基づき、前記構成された送信電力が、前記送信試行のための送信試行インデックスに少なくとも部分的に基づく送信電力調整値によって調整される、ステップと、
前記調整された送信電力でデータを送信するステップと
を備える方法。
【請求項２】
前記送信試行インデックスが、送信されるべき前記データについての前記基地局によって指定された新規データインジケータ(NDI)に対応する、請求項1に記載の方法。
【請求項３】
前記送信電力調整値を含む複数の送信電力調整値を、送信電力制御(TPC)コマンドのための可能な値にマッピングするステップと、
前記基地局から前記TPCコマンドを受信するステップであって、前記構成された送信電力が、前記TPCコマンドにおいて示された値に前記マッピングに基づいてマッピングする前記送信電力調整値によって調整される、ステップと
をさらに備える、請求項2に記載の方法。
【請求項４】
前記TPCコマンドが、複数のUEのためのグループTPCコマンドであり、前記送信試行インデックスを前記データの新規の送信を示す前記NDIとして決定するステップをさらに備える、請求項3に記載の方法。
【請求項５】
複数のキャリアのための複数のTPCコマンドを受信するステップと、
前記複数のキャリアのうちの1つに関連する1次セルの前記TPCコマンドを選択するステップと
をさらに備える、請求項3に記載の方法。
【請求項６】
前記データがチャネル状態情報(CSI)制御データであるとの決定に基づいて、前記送信試行インデックスを前記データの新規の送信を示す前記NDIとして決定するステップをさらに備える、請求項2に記載の方法。
【請求項７】
前記構成された送信電力が、前記送信試行に対応するデータを送信するためのパケットデッドラインに少なくとも部分的に基づく送信電力調整値によって調整される、請求項1に記載の方法。
【請求項８】
前記構成された送信電力が、前記基地局に送信するためのデータを記憶する送信バッファの待ち行列長さに少なくとも部分的に基づく送信電力調整値によって調整される、請求項1に記載の方法。
【請求項９】
前記構成された送信電力が、前記データの期限切れの前に前記UEのために利用可能な送信試行の残りの数に少なくとも部分的に基づく送信電力調整値によって調整される、請求項1に記載の方法。
【請求項１０】
前記構成された送信電力を調整するための構成を前記基地局から受信するステップであって、前記構成された送信電力を調整することが、前記構成に少なくとも部分的に基づく、ステップをさらに備える、請求項1に記載の方法。
【請求項１１】
前記構成が、前記データの1つまたは複数の送信試行のための固定または可変の送信電力調整値によって、前記構成された送信電力を調整することを示す、請求項10に記載の方法。
【請求項１２】
前記構成が、前記送信試行の送信試行インデックス、残りの送信試行の数、パケットデッドラインまでの残りの時間、または送信バッファの待ち行列長さのうちの少なくとも1つに基づく固定または可変の送信電力調整値によって、前記構成された送信電力を調整することを示す、請求項11に記載の方法。
【請求項１３】
前記構成が、前記構成された送信電力を再送信試行のための最大送信電力に増加することを示す、請求項11に記載の方法。
【請求項１４】
前記データを送信するためのデッドラインに関連する1つまたは複数のパラメータを決定するステップをさらに備え、前記構成された送信電力を調整するステップが、前記1つまたは複数のパラメータに少なくとも部分的に基づく、請求項1に記載の方法。
【請求項１５】
前記構成された送信電力を調整するステップが、前記送信試行が前記データのための再送信試行に対応するとの決定に少なくとも部分的に基づく、請求項1に記載の方法。
【請求項１６】
ワイヤレス通信のための装置であって、
1つまたは複数のアンテナを介して1つまたは複数のワイヤレス信号を通信するためのトランシーバと、
命令を記憶するように構成されたメモリと、
前記トランシーバおよび前記メモリと通信可能に結合された1つまたは複数のプロセッサとを備え、前記1つまたは複数のプロセッサが、
しきい値信頼度に関連付けられた接続を介して基地局との通信が構成されると決定することと、
構成された送信電力を、前記接続を介した送信試行のための調整された送信電力に調整することであって、前記構成された送信電力を調整することが、前記接続が前記しきい値信頼度に関連付けられるとの決定に少なくとも部分的に基づく、調整することと、
前記送信試行のための送信試行インデックスに少なくとも部分的に基づく送信電力調整値によって、前記構成された送信電力を調整することと、
前記調整された送信電力でデータを送信することと
を行うように構成される、装置。
【請求項１７】
前記送信試行インデックスが、送信されるべき前記データについての前記基地局によって指定された新規データインジケータ(NDI)に対応する、請求項16に記載の装置。
【請求項１８】
前記1つまたは複数のプロセッサが、
前記送信電力調整値を含む複数の送信電力調整値を、送信電力制御(TPC)コマンドのための可能な値にマッピングすることと、
前記基地局から前記TPCコマンドを受信することであって、前記1つまたは複数のプロセッサが、前記TPCコマンドにおいて示された値に前記マッピングに基づいてマッピングする前記送信電力調整値によって、前記構成された送信電力を調整するように構成される、受信することと
を行うようにさらに構成される、請求項17に記載の装置。
【請求項１９】
前記TPCコマンドが、複数のUEのためのグループTPCコマンドであり、前記1つまたは複数のプロセッサが、前記送信試行インデックスを前記データの新規の送信を示す前記NDIとして決定するようにさらに構成される、請求項18に記載の装置。
【請求項２０】
前記1つまたは複数のプロセッサが、
複数のキャリアのための複数のTPCコマンドを受信し、
前記複数のキャリアのうちの1つに関連する1次セルの前記TPCコマンドを選択する
ようにさらに構成される、請求項18に記載の装置。
【請求項２１】
前記1つまたは複数のプロセッサが、前記データがチャネル状態情報(CSI)制御データであるとの決定に基づいて、前記送信試行インデックスを前記データの新規の送信を示す前記NDIとして決定するようにさらに構成される、請求項17に記載の装置。
【請求項２２】
前記1つまたは複数のプロセッサが、前記送信試行に対応するデータを送信するためのパケットデッドラインに少なくとも部分的に基づく送信電力調整値によって、前記構成された送信電力を調整するように構成される、請求項16に記載の装置。
【請求項２３】
前記1つまたは複数のプロセッサが、前記基地局に送信するためのデータを記憶する送信バッファの待ち行列長さに少なくとも部分的に基づく送信電力調整値によって、前記構成された送信電力を調整するように構成される、請求項16に記載の装置。
【請求項２４】
前記1つまたは複数のプロセッサが、前記データの期限切れの前にUEのために利用可能な送信試行の残りの数に少なくとも部分的に基づく送信電力調整値によって、前記構成された送信電力を調整するように構成される、請求項16に記載の装置。
【請求項２５】
ワイヤレス通信のための装置であって、
ユーザ機器(UE)において、しきい値信頼度に関連付けられた接続を介して基地局との通信が構成されると決定するための手段と、
構成された送信電力を、前記接続を介した送信試行のための調整された送信電力に調整するための手段であって、前記構成された送信電力を調整することが、前記接続が前記しきい値信頼度に関連付けられるとの決定に少なくとも部分的に基づく、手段と、
前記送信試行のための送信試行インデックスに少なくとも部分的に基づく送信電力調整値によって、前記構成された送信電力を調整するための手段と、
前記調整された送信電力でデータを送信するための手段と
を備える装置。
【請求項２６】
ワイヤレス通信のための1つまたは複数のプロセッサによって実行可能なコードを備える非一時的コンピュータ可読記憶媒体であって、前記コードが、
ユーザ機器(UE)において、しきい値信頼度に関連付けられた接続を介して基地局との通信が構成されると決定するためのコードと、
構成された送信電力を、前記接続を介した送信試行のための調整された送信電力に調整するためのコードであって、前記構成された送信電力を調整することが、前記接続が前記しきい値信頼度に関連付けられるとの決定に少なくとも部分的に基づく、コードと、
前記送信試行のための送信試行インデックスに少なくとも部分的に基づく送信電力調整値によって、前記構成された送信電力を調整するためのコードと、
前記調整された送信電力でデータを送信するためのコードと
を備える、非一時的コンピュータ可読記憶媒体。
【国際調査報告】
2019533378.tif 000010
2019533378.tif 000011